(57)【要約】【課題】  使用状態が安定し、コスト的に有利で廃棄が容易となると共に、製造が容易となり、捕集効果が向上する愛玩動物用毛取り櫛を提供する。【解決手段】  愛玩動物用毛取り櫛１１は、１枚の紙製シートよりなり、本体部１４と、本体部１４の外縁１７に接続され、外方に向かって先細り形状を有する複数の櫛歯部４５ａ〜４５ｈ及び櫛歯部４６ａ〜４６ｈとから構成される。本体部１４は、略矩形形状を有する第１の本体部１５と、第１の本体部１５と折り目２８を介して接続された第２の本体部１６とからなる。第１の本体部１５には、外縁１７である第１の外縁部に櫛歯部４５ａ〜４５ｈが接続されている。第２の本体部１６には、外縁１７である第２の外縁部１９に櫛歯部４６ａ〜４６ｈが接続されている。これにより、櫛歯部４５ａ〜４５ｈ及び櫛歯部４６ａ〜４６ｈは曲げ強度が向上するため、使用状態が安定する。又廃棄が容易となる。【選択図】  図６
2017012035.tif 000002
【特許請求の範囲】
【請求項１】
１枚の紙製シートよりなる愛玩動物用毛取り櫛であって、
本体部と、
前記本体部の外縁に接続され、外方に向かって先細り形状を有する複数の櫛歯部とを備えた、愛玩動物用毛取り櫛。
【請求項２】
前記櫛歯部は、前記本体部側を底辺部とし、外方側を一対の等辺部とする略二等辺三角形形状を有する、請求項１記載の愛玩動物用毛取り櫛。
【請求項３】
前記本体部を折り曲げて重ねた時、
前記外縁は重なり合う一対の第１の外縁部及び第２の外縁部とからなると共に、前記第１の外縁部に接続する前記櫛歯部の一方は、前記第２の外縁部に接続する前記櫛歯部の他方の間に位置する、請求項１又は請求項２記載の愛玩動物用毛取り櫛。
【請求項４】
前記紙製シートは、坪量４００〜８００ｇ／ｍ２であり、
前記櫛歯部の一対の前記等辺部がなす角度は、２０〜３０°であり、
前記櫛歯部の前記底辺部の長さは、４〜７ｍｍであり、
前記櫛歯部の前記略二等辺三角形の高さは、１０ｍｍ以上である、請求項２又は請求項３記載の愛玩動物用毛取り櫛。
【請求項５】
前記櫛歯部の前記等辺部の少なくとも一部に波形状が形成された、請求項２から請求項４のいずれかに記載の愛玩動物用毛取り櫛。
【請求項６】
前記第１の外縁部に接続する前記櫛歯部の一方の前記底辺部の長さは、前記第２の外縁部に接続する前記櫛歯部の他方であって隣接する前記櫛歯部の間の長さに等しく設定されると共に、前記本体部の折り曲げ時に、これらの部分が重なり合う、請求項３から請求項５のいずれかに記載の愛玩動物用毛取り櫛。
【請求項７】
前記重ねた時に、重ねた状態を保持する保持手段を更に備えた、請求項３から請求項６のいずれかに記載の愛玩動物用毛取り櫛。
【請求項８】
前記櫛歯部の形成方向は、紙の流れ目方向と同一である、請求項１から請求項７のいずれかに記載の愛玩動物用毛取り櫛。
【発明の詳細な説明】
【技術分野】
【０００１】
この発明は愛玩動物用毛取り櫛に関し、特に猫等の愛玩動物（ペット）の毛を捕集するために使用される愛玩動物用毛取り櫛に関するものである。
【背景技術】
【０００２】
図１４は、特許文献１で開示された従来のペット用ブラシ兼用清掃具を示す斜視図である。
【０００３】
図を参照して、ペット用ブラシ兼用清掃具７１は、直方体形状の筐体７４と矩形板状の第１の基板７５とからなる基体７３と、第１の基板７５の第１ブラシ面７８に設置された短毛の傾斜パイルからなる捕塵ブラシ７９と、第１ブラシ面の反対に位置する筐体７４の第２ブラシ面８１に設置され、硬質プラスチック等からなる弾性を有するピン状のペット用ブラシ８２とから主に構成される。
【０００４】
ペット用ブラシ兼用清掃具７１の基体７３の筐体７４は、側面に形成された第１の開口８５を介して、内部に収納することができるように、第１の基板７５と接続されている。
【０００５】
使用に際して、ペット用ブラシ兼用清掃具７１の筐体７４を把持して動かし、ペット用ブラシ８２で、猫等の愛玩動物の毛を捕集する。又、床等に毛が付着した場合には、ペット用ブラシ兼用清掃具７１の捕塵ブラシ７９によって、毛を取り除くこともできる。
【０００６】
図１５は、特許文献２で開示された従来の他のペット用櫛を示す背側の斜視図である。
【０００７】
図を参照して、ペット用櫛１０１は、中央に指穴１０４が形成されたハンドル１０３と、ハンドル１０３の端部に位置する櫛歯固設部１０６に設置され、その両端に櫛歯保護突起１０７が形成された多数の櫛歯１０２とから主に構成される。
【０００８】
ペット用櫛１０１の櫛歯１０２は、ＰＡ（ポリアミド）等の合成樹脂からなり、付け根から先端方向に滑らかに細くすると共に、中間位置で背側に折り曲げて、更に先で弧を描いて腹側に曲げ、弧の終端に直線部を設けて、その先端を膨らませることなくまるめたものである。
【０００９】
このように構成することにより、愛玩動物の毛の捕集効率が高くなる。又、持ちやすい形状に形成されたハンドルによって、ブラッシング作業が容易に行える。
【先行技術文献】
【特許文献】
【００１０】
【特許文献１】特開２０１１−１５６１６９号公報
【特許文献２】特開２０１１−３６１７７号公報
【特許文献３】実開平３−７２７２２号公報
【発明の概要】
【発明が解決しようとする課題】
【００１１】
上記の図１４で示したペット用ブラシ兼用清掃具７１及び図１５で示したペット用櫛１０１は、愛玩動物の毛を捕集した後に、再度繰り返して使用するものであった。そのため、ペット用ブラシ兼用清掃具７１のペット用ブラシ８２及び捕塵ブラシ７９、ペット用櫛１０１の櫛歯１０２から、捕集した毛を除去することに手間がかかっていた。又、完全に毛を除去することができず、不衛生になる虞があった。
【００１２】
そこで、捕集した毛を収集し易くしたブラシ装置がある。
【００１３】
図１６は、特許文献３で開示された、このブラシ装置のブラシを示す斜視図であり、図１７は、図１６で示したブラシ装置の全体構造を示す斜視図である。
【００１４】
これらの図を参照して、ブラシ装置１３１は、ブラシ１３２と、ブラシ１３２から延びるホース１４３と、ブラシ１３２の反対に位置し、ホース１４３に連結された空気吸引装置１４６とから主に構成される。
【００１５】
ブラシ装置１３１のブラシ１３２は、中空形状のブラシ本体１３３と、ブラシ本体１３３に一体成形されたパイプ形状の把手１３５とからなる。
【００１６】
ブラシ１３２のブラシ本体１３３の一面には、数本の縦桟と横桟とで区切られ、吸引口１４１が形成された開口部１４０と、開口部１４０の周囲を囲うように内環状植毛部１３７及び外環状植毛部１３８とが形成されている。
【００１７】
使用に際して、ブラシ装置１３１のブラシ１３２で愛玩動物の毛を梳くとき、ブラシ本体１３３の開口部１４０の吸引口１４１を介して、外部の空気が空気吸引装置１４６に向って吸い込まれる。そして、ブラシ１３２の内環状植毛部１３７及び外環状植毛部１３８によって、捕集された毛は、吸引口１４１からブラシ本体１３３内に吸い込まれて、空気吸引装置１４６に収集されることになる。
【００１８】
しかし、このブラシ装置１３１では、捕集した毛が吸引口１４１付近に溜まり、吸引力が弱くなることがあった。又、ブラシ装置１３１の空気吸引装置１４６の動作音が、愛玩動物を怖がらせることになり、ブラッシングすることが困難となる場合があった。
【００１９】
この発明は、上記のような課題を解決するためになされたもので、使用状態が安定し、コスト的に有利で廃棄が容易となると共に、製造が容易となり、捕集効果が向上する愛玩動物用毛取り櫛を提供することを目的とする。
【課題を解決するための手段】
【００２０】
上記の目的を達成するために、請求項１記載の発明は、１枚の紙製シートよりなる愛玩動物用毛取り櫛であって、本体部と、本体部の外縁に接続され、外方に向かって先細り形状を有する複数の櫛歯部とを備えたものである。
【００２１】
このように構成すると、櫛歯部の曲げ強度が向上し、全体が紙製の一体材料からなる。
【００２２】
請求項２記載の発明は、請求項１記載の発明の構成において、櫛歯部は、本体部側を底辺部とし、外方側を一対の等辺部とする略二等辺三角形形状を有するものである。
【００２３】
このように構成すると、形状が安定する。
【００２４】
請求項３記載の発明は、請求項１又は請求項２記載の発明の構成において、本体部を折り曲げて重ねた時、外縁は重なり合う一対の第１の外縁部及び第２の外縁部とからなると共に、第１の外縁部に接続する櫛歯部の一方は、第２の外縁部に接続する櫛歯部の他方の間に位置するものである。
【００２５】
このように構成すると、重なり方向に櫛歯部の数が増加する。
【００２６】
請求項４記載の発明は、請求項２又は請求項３記載の発明の構成において、紙製シートは、坪量４００〜８００ｇ／ｍ２であり、櫛歯部の一対の等辺部がなす角度は、２０〜３０°であり、櫛歯部の底辺部の長さは、４〜７ｍｍであり、櫛歯部の略二等辺三角形の高さは、１０ｍｍ以上であるものである。
【００２７】
このように構成すると、櫛歯部の強度が高くなる。
【００２８】
請求項５記載の発明は、請求項２から請求項４のいずれかに記載の発明の構成において、櫛歯部の等辺部の少なくとも一部に波形状が形成されたものである。
【００２９】
このように構成すると、毛と接触する櫛歯部の面積が増加する。
【００３０】
請求項６記載の発明は、請求項３から請求項５のいずれかに記載の発明の構成において、第１の外縁部に接続する櫛歯部の一方の底辺部の長さは、第２の外縁部に接続する櫛歯部の他方であって隣接する櫛歯部の間の長さに等しく設定されると共に、本体部の折り曲げ時に、これらの部分が重なり合うものである。
【００３１】
このように構成すると、重なり方向に櫛歯部が連続して配置される。
【００３２】
請求項７記載の発明は、請求項３から請求項６のいずれかに記載の発明の構成において、重ねた時に、重ねた状態を保持する保持手段を更に備えたものである。
【００３３】
このように構成すると、重ねた状態が不用意にずれない。
【００３４】
請求項８記載の発明は、請求項１から請求項７のいずれかに記載の発明の構成において、櫛歯部の形成方向は、紙の流れ目方向と同一としたものである。
【００３５】
このように構成すると、本体部及び櫛歯部の強度が高まる。
【発明の効果】
【００３６】
以上説明したように、請求項１記載の発明は、櫛歯部の曲げ強度が向上するので使用状態が安定し、全体が紙製の一体材料からなるためコスト的に有利で廃棄が容易となる。
【００３７】
請求項２記載の発明は、請求項１記載の発明の効果に加えて、形状が安定するため、製造が容易となる。
【００３８】
請求項３記載の発明は、請求項１又は請求項２記載の発明の効果に加えて、重なり方向に櫛歯部の数が増加するため、捕集効果が向上する。
【００３９】
請求項４記載の発明は、請求項２又は請求項３記載の発明の効果に加えて、櫛歯部の強度が高くなるため、効率的に毛を捕集できる。
【００４０】
請求項５記載の発明は、請求項２から請求項４のいずれかに記載の発明の効果に加えて、毛と接触する櫛歯部の面積が増加するため、毛を効率的に捕集し易くなる。
【００４１】
請求項６記載の発明は、請求項３から請求項５のいずれかに記載の発明の効果に加えて、重なり方向に櫛歯部が連続して配置されるため、櫛歯部の密度が高まる。
【００４２】
請求項７記載の発明は、請求項３から請求項６のいずれかに記載の発明の効果に加えて、重ねた状態が不用意にずれないため、使用勝手が向上する。
【００４３】
請求項８記載の発明は、請求項１から請求項７のいずれかに記載の発明の効果に加えて、本体部及び櫛歯部の強度が高まるため、櫛歯部の耐久性が向上する。
【図面の簡単な説明】
【００４４】
【図１】この発明の第１の実施の形態による愛玩動物用毛取り櫛の概略正面図である。
【図２】図１で示した愛玩動物用毛取り櫛の概略平面図である。
【図３】図１で示したＩＩＩ−ＩＩＩラインから見た概略断面図である。
【図４】図１で示した“Ｘ”部分の概略拡大図である。
【図５】図１で示した愛玩動物用毛取り櫛の本体部を折り曲げて重ねた状態を示す概略正面図である。
【図６】図１で示した愛玩動物用毛取り櫛の使用状態を示す概略斜視図である。
【図７】この発明の第２の実施の形態による愛玩動物用毛取り櫛の概略正面図であって、図１に対応した図である。
【図８】図７で示した愛玩動物用毛取り櫛の概略平面図であって、図２に対応した図である。
【図９】図７で示したＩＸ−ＩＸラインから見た概略断面図であって、図３に対応した図である。
【図１０】図７で示した“Ｙ”部分の概略拡大図であって、図４に対応した図である。
【図１１】図７で示した愛玩動物用毛取り櫛の本体部を折り曲げて重ねた状態を示す概略正面図であって、図５に対応した図である。
【図１２】図７で示した愛玩動物用毛取り櫛の使用状態を示す概略斜視図であって、図６に対応した図である。
【図１３】図１で示した第１の実施の形態による愛玩動物用毛取り櫛の櫛歯部を示す概略拡大模式図であって、図４に対応した図である。
【図１４】特許文献１で開示された従来のペット用ブラシ兼用清掃具を示す斜視図である。
【図１５】特許文献２で開示された従来の他のペット用櫛を示す背側の斜視図である。
【図１６】特許文献３で開示された従来の他のブラシ装置のブラシを示す斜視図である。
【図１７】図１６で示したブラシ装置の全体構造を示す斜視図である。
【発明を実施するための形態】
【００４５】
図１は、この発明の第１の実施の形態による愛玩動物用毛取り櫛の概略正面図であり、図２は、図１で示した愛玩動物用毛取り櫛の概略平面図であり、図３は、図１で示したＩＩＩ−ＩＩＩラインから見た概略断面図であり、図４は、図１で示した“Ｘ”部分の概略拡大図である。
【００４６】
これらの図を参照して、愛玩動物用毛取り櫛１１は、特に猫等の愛玩動物の毛を捕集するために使用され、１枚のコートボール紙等の紙製シートをトムソン刃で打ち抜くことにより一体的に成形されたものであって、略矩形形状を有する第１の本体部１５及び第２の本体部１６とからなる本体部１４と、本体部１４の外縁１７に接続され、外方に向かって先細り形状を有する複数の櫛歯部４５ａ〜４５ｈ及び櫛歯部４６ａ〜４６ｈとから構成される。これにより、櫛歯部４５ａ〜４５ｈ及び櫛歯部４６ａ〜４６ｈは根元付近が先端に比べて太く、曲げ強度が向上するため、使用状態が安定する。尚、ここでは、２Ｐ（ピッチ）ウェーブ刃のトムソン刃を用いて成形している。
【００４７】
愛玩動物用毛取り櫛１１の本体部１４は、その中央位置にコの字形状の切込みによって形成された保持手段３７である差込み片３９を有する第１の本体部１５と、第１の本体部１５と折り目２８を介して接続され、その中央位置にコの字形状の切込みによって形成された保持手段３７である折曲げ片４１を有する第２の本体部１６とから構成される。
【００４８】
本体部１４の第１の本体部１５には、折り目２８と対向する端縁である第１の外縁部１８に櫛歯部４５ａ〜４５ｈが接続されている。本体部１４の第２の本体部１６には、折り目２８と対向する端縁である第２の外縁部１９に櫛歯部４６ａ〜４６ｈが接続されている。尚、櫛歯部４５ａ〜４５ｈ及び櫛歯部４６ａ〜４６ｈの配置については、後述する。
【００４９】
櫛歯部４５ａ〜４５ｈ及び櫛歯部４６ａ〜４６ｈの各々は、本体部１４側を底辺部４７とし、外方側を一対の等辺部４８ａ及び等辺部４８ｂとする略二等辺三角形形状を有している。このように構成することにより、櫛歯部４５ａ〜４５ｈ及び櫛歯部４６ａ〜４６ｈの形状が安定するため、トムソン刃等による打ち抜き加工の際の製造が容易となる。
【００５０】
又、櫛歯部４５ａ〜４５ｈ及び櫛歯部４６ａ〜４６ｈの各々の等辺部４８ａ及び等辺部４８ｂと、第１の外縁部１８と第２の外縁部１９とからなる外縁１７とには、波形状が形成されている。ここでは、波形状の波長Ｌは２ｍｍであり、振幅の２倍のＭは０．４ｍｍである。このように構成した理由については後述する。尚、波長Ｌは１ｍｍ以上であり、振幅の２倍のＭは０．２〜０．８ｍｍの範囲にあることが好ましい。
【００５１】
ここでは、本体部１４（第１の本体部１５、第２の本体部１６）の幅Ｗ１は９０ｍｍであり、櫛歯部４５ａ〜４５ｈ及び櫛歯部４６ａ〜４６ｈの各々の底辺部４７の長さＷ２は５．５ｍｍであり、櫛歯部４５ａ〜４５ｈ及び櫛歯部４６ａ〜４６ｈの隣接する各々の間の長さＷ３は５．５ｍｍである。即ち、長さＷ２は長さＷ３と等しくなるように形成している。このように構成した理由については後述する。
【００５２】
又、櫛歯部４５ａ〜４５ｈの略二等辺三角形の高さＨ１は１０ｍｍであり、第１の本体部１５の長さＨ２は５８ｍｍであり、第２の本体部１６の長さＨ３は５８ｍｍであり、櫛歯部４６ａ〜４６ｈの略二等辺三角形の高さＨ４は１０ｍｍであり、愛玩動物用毛取り櫛１１の長さＨ５は１３６ｍｍである。愛玩動物用毛取り櫛１１の厚さは０．６ｍｍである。
【００５３】
尚、本体部１４と櫛歯部４５ａ〜４５ｈ及び櫛歯部４６ａ〜４６ｈとは、坪量４００〜８００ｇ／ｍ２の紙製シートよりなり、櫛歯部４５ａ〜４５ｈ及び櫛歯部４６ａ〜４６ｈの一対の等辺部４８ａ及び等辺部４８ｂがなす角度は、２０〜３０°であり、櫛歯部４５ａ〜４５ｈ及び櫛歯部４６ａ〜４６ｈの底辺部４７の長さＷ２は、４〜７ｍｍであり、櫛歯部４５ａ〜４５ｈ及び櫛歯部４６ａ〜４６ｈの略二等辺三角形の高さは、１０ｍｍ以上であることが好ましい。このように構成することにより、櫛歯部４５ａ〜４５ｈ及び櫛歯部４６ａ〜４６ｈの強度が高くなるため、使用時に効率的に毛を捕集できる。
【００５４】
図５は、図１で示した愛玩動物用毛取り櫛の本体部を折り曲げて重ねた状態を示す概略正面図であり、図６は、図１で示した愛玩動物用毛取り櫛の使用状態を示す概略斜視図である。
【００５５】
図５を参照して、組立に際して、図３で示した実線の矢印の方向に、愛玩動物用毛取り櫛１１の本体部１４を、折り目２８で折り曲げて重ねる。図３で示した二点鎖線は、折り曲げ途中の状態を示している。そして、第１の本体部１５と第２の本体部１６とを重ねる。このとき、外縁１７は重なり合う一対の第１の外縁部１８及び第２の外縁部１９とからなると共に、第１の本体部１５の第１の外縁部１８に接続する櫛歯部４５ａ〜４５ｈは、図１で示した第２の本体部１６の第２の外縁部１９に接続する櫛歯部４６ａ〜４６ｈの間の中央に位置するように形成されている。即ち、本体部１４を折り曲げて重ねた時に、重なり方向に櫛歯部の数が増加することになり、使用時に毛の捕集効果が向上する。
【００５６】
尚、本来は、本体部１４の櫛歯部は、外縁１７が露出しないように一列状に連続して形成されていることが好ましい。しかし、トムソン刃を用いて成形する時には、このような状態に打ち抜きで成形することは困難である。具体的には、櫛歯部４５ａ〜４５ｈ（櫛歯部４６ａ〜４６ｈ）の隣接する各々同士の間の長さＷ３を設けずに、つまりＷ３＝０で、トムソン刃の打ち抜きによって成形することは難しい。そこで、上述のように、一対の第１の外縁部１８と第２の外縁部１９とに、長さＷ３を設けた櫛歯部４５ａ〜４５ｈ及び櫛歯部４６ａ〜４６ｈをトムソン刃で成形した後に、本体部１４を折り曲げて使用することで、櫛歯部を連続させると共にその数を実質的に増加させている。このようにすることで、トムソン刃を用いた製造がし易くなる。
【００５７】
又、上述したように、第１の本体部１５の第１の外縁部１８に接続する櫛歯部４５ａ〜４５ｈの各々の底辺部４７の長さＷ２（図４で図示）は、第２の本体部１６の第１の外縁部１９に接続する櫛歯部４６ａ〜４６ｈであって隣接する各々同士の間の長さＷ３に等しくなるように形成されている。このように構成することにより、重なり方向に櫛歯部が連続して配置されるため、櫛歯部の密度が高まる。
【００５８】
図６を参照して、愛玩動物用毛取り櫛１１の第１の本体部１５の折り目２６で傾けた差込み片３９を、第２の本体部１６の折曲げ片４１を折り目２７で折り曲げることで形成された開口に差込む。このようにして、保持手段３７である差込み片３９と折曲げ片４１とを用いることで、本体部１４の重ねた状態が保持できるため、使用勝手が向上する。又、愛玩動物用毛取り櫛１１の本体部１４を把持する際に、保持手段３７が指の引っ掛かりとなり、使用時に愛玩動物用毛取り櫛１１を不用意に落としにくくなる。尚、差込み片３９を、折曲げ片４１を折り曲げることで形成された開口に差込んだ後に、差込み片３９を折り返して保持状態を高めても良い。
【００５９】
使用に際して、愛玩動物用毛取り櫛１１の櫛歯部４５ａ〜４５ｈ及び櫛歯部４６ａ〜４６ｈを、愛玩動物の体に沿わせるようにして、毛を梳くことにより、毛を捕集する。このとき、上述したように櫛歯部４５ａ〜４５ｈ及び櫛歯部４６ａ〜４６ｈの各々には、波形状が形成されているため、毛と接触する櫛歯部の面積が増加する。従って、毛を効率的に捕集し易くなっている。
【００６０】
ここで、愛玩動物用毛取り櫛１１は、全体が紙製の一体材料からなるため、合成樹脂等に比べてコスト的に有利であり、廃棄が容易である。即ち、使用後は、捕集した毛と共に、愛玩動物用毛取り櫛１１を可燃物として廃棄しても良い。よって、清掃の手間が不要であり、衛生的となる。
【００６１】
又、愛玩動物用毛取り櫛１１の櫛歯部４５ａ〜４５ｈ及び櫛歯部４６ａ〜４６ｈの形成方向（先細り方向）は、紙の流れ目方向と同一である。このように構成することで、本体部１４、櫛歯部４５ａ〜４５ｈ及び櫛歯部４６ａ〜４６ｈの強度が高まるため、櫛歯部４５ａ〜４５ｈ及び櫛歯部４６ａ〜４６ｈが折れにくくなり、耐久性が向上する。
【００６２】
更に、櫛歯部４５ａ〜４５ｈ及び櫛歯部４６ａ〜４６ｈの表面に、防滑剤や樹脂、粘着剤等を塗布することで、毛の捕集効果を高めることができる。塗布に際しては、例えば原紙の表面に予め防滑剤や樹脂、粘着剤等を塗布しておき、それをトムソン刃等により打ち抜いて成形しても良い。
【００６３】
図７は、この発明の第２の実施の形態による愛玩動物用毛取り櫛の概略正面図であって、図１に対応した図であり、図８は、図７で示した愛玩動物用毛取り櫛の概略平面図であって、図２に対応した図であり、図９は、図７で示したＩＸ−ＩＸラインから見た概略断面図であって、図３に対応した図であり、図１０は、図７で示した“Ｙ”部分の概略拡大図であって、図４に対応した図である。
【００６４】
尚、この第２の実施の形態による愛玩動物用毛取り櫛１２は、図１で示した第１の実施の形態による愛玩動物用毛取り櫛１１と基本的な構成は同一である。ここでは、その相違点を中心に説明する。
【００６５】
これらの図を参照して、愛玩動物用毛取り櫛１２は、本体部１４と、複数の櫛歯部４５ａ〜４５ｆ及び櫛歯部４６ａ〜４６ｆとから構成される。
【００６６】
愛玩動物用毛取り櫛１２の本体部１４は、その右方位置にコの字形状の切込みによって形成された保持手段３７である差込み片３９を有する第１の本体部１５と、第１の本体部１５と折り目３０を介して接続され、その左方位置に形成された保持手段３７である開口４３を有する第２の本体部１６とから構成される。
【００６７】
本体部１４の第１の本体部１５には、第１の外縁部１８に櫛歯部４５ａ〜４５ｆが接続されている。本体部１４の第２の本体部１６には、第１の外縁部１８の延長上にある第２の外縁部１９に櫛歯部４６ａ〜４６ｆが接続されている。
【００６８】
ここでは、櫛歯部４５ａ〜４５ｆ及び櫛歯部４６ａ〜４６ｆの各々の底辺部４７の長さＷ４は、櫛歯部４５ａ〜４５ｆ及び櫛歯部４６ａ〜４６ｆの隣接する各々同士の長さＷ５の１／３倍である。
【００６９】
図１１は、図７で示した愛玩動物用毛取り櫛の本体部を折り曲げて重ねた状態を示す概略正面図であって、図５に対応した図であり、図１２は、図７で示した愛玩動物用毛取り櫛の使用状態を示す概略斜視図であって、図６に対応した図である。
【００７０】
図１１を参照して、組立に際して、図９で示した実線の矢印の方向に、愛玩動物用毛取り櫛１２の本体部１４を、折り目３０で折り曲げて重ねる。このとき、第１の本体部１５の第１の外縁部１８に接続する櫛歯部４５ａ〜４５ｆは、図７で示した第２の本体部１６の第２の外縁部１９に接続する櫛歯部４６ａ〜４６ｆの間の中央に位置するように形成されている。即ち、本体部１４を折り曲げて重ねた時に、外縁部１７の一部が櫛歯部４５ａ〜４５ｆ及び櫛歯部４６ａ〜４６ｆの間から露出するようになる。
【００７１】
尚、愛玩動物用毛取り櫛１２において、図７で示した第２の本体部１６の折り目３０に対向する端縁を更に折り目とするように、図示しない第３の本体部を第２の本体部１６に接続させて、第２の本体部１６と同様に形成しても良い。このように構成して、折り曲げ動作を増加させることで、櫛歯部の密度を増加させることができる。同様にして、本体部の折り曲げ動作を更に増加させても良い。
【００７２】
図１２を参照して、愛玩動物用毛取り櫛１２の第１の本体部１５の差込み片３９を、第２の本体部１６に形成された開口４３に差込む。
【００７３】
使用に際して、愛玩動物用毛取り櫛１２の櫛歯部４５ａ〜４５ｆ及び櫛歯部４６ａ〜４６ｆを、愛玩動物の体に沿わせるようにして、毛を梳くことにより、毛を捕集する。このとき、上述したように櫛歯部４５ａ〜４５ｆ及び櫛歯部４６ａ〜４６ｆに加えて、露出した外縁部１７の一部が毛と接触することになる。
【００７４】
尚、上記の各実施の形態では、愛玩動物用毛取り櫛は、特に猫等の愛玩動物の毛を捕集するために主に使用されるものであったが、例えば犬等の他の動物の毛を捕集するために使用されても良い。
【００７５】
又、上記の各実施の形態では、愛玩動物用毛取り櫛は、愛玩動物の毛を捕集するために使用されるものであったが、愛玩動物の毛に付着した埃や汚れ等を捕集したり、取り除いたり、又は、整毛（ブラッシング）したりする等のために使用されるものであっても良い。
【００７６】
更に、上記の各実施の形態では、愛玩動物用毛取り櫛は、トムソン刃を用いた特定の方法で成形されるものであったが、トムソン刃以外の他の方法で成形されるものであっても良い。
【００７７】
更に、上記の各実施の形態では、愛玩動物用毛取り櫛は、特定材料の紙製シートよりなるものであったが、他の材料による紙製シートよりなるものであっても良い。又は、例えばシート状の合成樹脂や金属板等のように、１枚のシート状よりなるものであれば、他の材料よりなるものであっても良い。
【００７８】
更に、上記の各実施の形態では、本体部は、特定の形状及び寸法からなるものであったが、他の形状及び寸法からなるものであっても良い。
【００７９】
更に、上記の各実施の形態では、本体部は、第１の本体部と第２の本体部とからなり折り曲げるものであったが、１枚の折り曲げないシートからなるものであっても良い。又は、２枚以上の折り曲げないシートを重ね合わせて使用しても良い。
【００８０】
更に、上記の各実施の形態では、櫛歯部は、特定の形状からなるものであったが、本体部の外縁に接続されて外方に向って先細り形状を有するものであれば、例えば台形形状のように他の形状からなるものであっても良い。
【００８１】
更に、上記の各実施の形態では、櫛歯部は、特定の寸法からなるものであったが、他の寸法からなるものであっても良い。
【００８２】
更に、上記の各実施の形態では、第１の外縁部に接続する櫛歯部の一方は、本体部を折り曲げて重ねた時、第２の外縁部に接続する櫛歯部の他方の間に位置するものであったが、第２の外縁部に接続する櫛歯部の他方の間に位置しなくても良い。
【００８３】
更に、上記の各実施の形態では、本体部は、特定の位置で折り曲げて重ねたものであったが、他の位置で折り曲げて重ねるものであっても良い。又、複数回折り曲げて重ねるように形成しても良い。
【００８４】
更に、上記の各実施の形態では、櫛歯部の等辺部は、全面に波形状が形成されたものであったが、少なくとも一部に波形状が形成されたものであれば、全面に波形状が形成されていなくても良い。又は、波形状は形成されていなくても良い。
【００８５】
更に、上記の各実施の形態では、外縁は、全面に波形状が形成されたものであったが、全面に波形状が形成されていなくても良い。又は、波形状は形成されていなくても良い。
【００８６】
更に、上記の各実施の形態では、櫛歯部の等辺部及び外縁は、特定寸法の波形状が形成されたものであったが、他の寸法の波形状が形成されたものであっても良い。
【００８７】
更に、上記の各実施の形態では、保持手段は、特定手段からなるものであったが、重ねた時に重ねた状態を保持するものであれば、例えばセロハンテープ、両面テープ及び接着剤等で折り曲げた本体部を保持するように、その他の手段からなるものであっても良い。又は、保持手段はなくても良い。
【００８８】
更に、上記の各実施の形態では、櫛歯部の形成方向は、紙の流れ目方向と同一であったが、紙の流れ目方向と異なる方向であっても良い。
【００８９】
更に、上記の各実施の形態では、櫛歯部は、特定数からなるものであったが、２つ以上からなるものであれば良い。
【００９０】
更に、上記の各実施の形態では、外縁は、直線形状を有するものであったが、例えば凹形状や凸形状のように、曲線形状を有するものであっても良い。
【００９１】
更に、上記の各実施の形態では、櫛歯部は、本体部の対向する一対の外縁に接続されたものであったが、片方のみの外縁に接続されたものであっても良い。又は、片方のみの外縁に接続された櫛歯部を有する本体部を２枚以上重ね合わせて使用しても良い。
【実施例】
【００９２】
図１で示した第１の実施の形態による愛玩動物用毛取り櫛１１の効果を検証するために、実験を行った。
１．実験条件
まず、愛玩動物用毛取り櫛１１の毛捕集量を検証するための実験条件を示す。
【００９３】
尚、この実施例による愛玩動物用毛取り櫛１１は、図１で示した第１の実施の形態による愛玩動物用毛取り櫛１１の基本的な構成と同一であるので、ここでは相違点を中心に説明する。
【００９４】
図１３は、図１で示した第１の実施の形態による愛玩動物用毛取り櫛の櫛歯部を示す概略拡大模式図であって、図４に対応した図である。
【００９５】
図を参照して、愛玩動物用毛取り櫛１１の櫛歯部４５ａの一対の等辺部４８ａ及び等辺部４８ｂがなす角度は、θ（°）である。等辺部４８ａ及び等辺部４８ｂの各々は、二点鎖線で示した波形状の軸に相当する。
【００９６】
愛玩動物用毛取り櫛１１の櫛歯部４５ａの高さＨ（ｍｍ）は、実線で示した波形状の外方側端部から第１の外縁部１８までの距離（略二等辺三角形の高さに対応）である。
【００９７】
愛玩動物用毛取り櫛１１の櫛歯部４５ａの底辺長さＷ（ｍｍ）は、底辺部４７の長さである。
【００９８】
これらの角度θ（°）、高さＨ（ｍｍ）、底辺長さＷ（ｍｍ）を変化量とした場合の愛玩動物用毛取り櫛１１による毛の捕集量（ｍｇ）を測定した。
【００９９】
尚、愛玩動物用毛取り櫛１１は、坪量６００ｇ／ｍ２であるコートボール紙を用いた。
２．評価方法
愛玩動物用毛取り櫛１１を用いて、猫の体毛を１００回、ブラッシングして毛を捕集した。その後、愛玩動物用毛取り櫛１１の櫛歯部４５ａ〜４５ｈ及び櫛歯部４６ａ〜４６ｈについた毛の捕集量（ｍｇ）を測定した。
３．実験結果及び評価
実験の結果を、次の表１に示す。
【０１００】
【表１】
2017012035.tif 000003
この表１を参照して、好適実施例１〜好適実施例３においては、毛の捕集量が７０ｍｇ以上であり、好ましい毛の捕集効果が確認できた。このときの角度θは、２０〜２８．８°であり、高さＨは、１０ｍｍ以上であり、底辺長さＷは、４〜５．５ｍｍであった。
【０１０１】
この結果は、上述した使用時に効率的に毛を捕集できる好ましい設定範囲である、坪量４００〜８００ｇ／ｍ２の範囲内であり、角度θは、２０〜３０°の範囲内であり、底辺長さＷは、４〜７ｍｍの範囲内であり、高さＨは、１０ｍｍ以上の範囲内であることをいずれも満たしていた。
【０１０２】
実施例１〜実施例９においては、いずれも毛の捕集量は７０ｍｇ未満であったが、毛を捕集することはできており、使用に耐えるものである。よって、季節等による愛玩動物の毛の抜け方や、愛玩動物の種類等に応じて、実施例１〜実施例９のように変化量を調整して、愛玩動物用毛取り櫛１１を形成して用いることができる。
【０１０３】
尚、実施例４においては、毛を１０ｍｇ捕集した後に、高さＨが３０．４ｍｍと高いため、実験途中で櫛歯部４５ａ〜４５ｈ及び櫛歯部４６ａ〜４６ｈが折れてしまった。
【０１０４】
又、上記の実施例の愛玩動物用毛取り櫛１１は、特定の坪量であったが、坪量４００〜８００ｇ／ｍ２の範囲内において、角度θが２０〜３０°の範囲内であり、底辺長さＷが４〜７ｍｍの範囲内であり、高さＨが１０ｍｍ以上の範囲内にあるときには、同様に好ましい捕集効果が得られている。
【符号の説明】
【０１０５】
１１、１２…愛玩動物用毛取り櫛
１４…本体部
１７…外縁
１８…第１の外縁部
１９…第２の外縁部
３７…保持手段
４５…櫛歯部
４６…櫛歯部
４７…底辺部
４８…等辺部
尚、各図中同一符号は同一又は相当部分を示す。
【図１】
2017012035.tif 000004
【図２】
2017012035.tif 000005
【図３】
2017012035.tif 000006
【図４】
2017012035.tif 000007
【図５】
2017012035.tif 000008
【図６】
2017012035.tif 000009
【図７】
2017012035.tif 000010
【図８】
2017012035.tif 000011
【図９】
2017012035.tif 000012
【図１０】
2017012035.tif 000013
【図１１】
2017012035.tif 000014
【図１２】
2017012035.tif 000015
【図１３】
2017012035.tif 000016
【図１４】
2017012035.tif 000017
【図１５】
2017012035.tif 000018
【図１６】
2017012035.tif 000019
【図１７】
2017012035.tif 000020